(57)【要約】  内視鏡システム１は、差動信号を出力するLVDSドライバ４１と、LVDSドライバ４１から出力された差動信号を伝送する差動伝送線路５０と、差動伝送線路端に接続され、差動伝送線路５０により伝送された差動信号が入力されるパルストランス４２と、差動信号が入力されるパルストランス４２の入力側にパルストランス４２と並列に接続されたバイパスインピーダンス素子としての抵抗５４を有する。抵抗５４のインピーダンスは、ノイズ周波数において、パルストランス４２側の回路インピーダンスより小さい。
2012014547.tif 000002
【特許請求の範囲】
【請求項１】
差動信号を出力するドライバと、
前記ドライバから出力された前記差動信号を伝送する差動伝送線路と、
前記差動伝送線路端に接続され、前記差動伝送線路により伝送された前記差動信号が入力されるパルストランスと、
前記差動信号が入力される前記パルストランスの入力側に少なくとも前記パルストランスと並列に接続されたバイパスインピーダンス素子を備えたインピーダンス部材と、を備える内視鏡システムであって、
前記バイパスインピーダンス素子のインピーダンスは、前記差動伝送線路に混入するノイズの所定のノイズ周波数において、前記バイパスインピーダンス素子と並列に接続されている前記パルストランスが接続されている回路インピーダンスより小さいことを特徴とする内視鏡システム。
【請求項２】
前記インピーダンス部材は、抵抗、コンデンサ及びコイルの少なくとも１つを含む受動部品であることを特徴とする請求項１に記載の内視鏡システム。
【請求項３】
前記バイパスインピーダンス素子のインピーダンスは、伝送される前記差動信号の周波数において、前記バイパスインピーダンス素子と並列に接続されている前記パルストランスが接続されている回路インピーダンスより大きいことを特徴とする請求項１又は２に記載の内視鏡システム。
【請求項４】
前記パルストランスの前記２つの入力端子間距離は、前記差動伝送線路の線路間インピーダンスに等しくなるように形成されていることを特徴とする請求項１又は２に記載の内視鏡システム。
【請求項５】
前記パルストランスの前記２つの入力端子間距離は、前記差動伝送線路の線路間インピーダンスに等しくなるように、前記パルストランスの前記２つの入力端子間距離は、前記差動伝送線路のペア間距離に等しいことを特徴とする請求項４に記載の内視鏡システム。
【請求項６】
前記パルストランスの前記２つの入力端子間距離が前記差動伝送線路の線路間インピーダンスに等しくなるように、前記パルストランスの前記２つの入力端子間及び前記差動伝送路間に配設された誘電体を有することを特徴とする請求項４に記載の内視鏡システム。
【請求項７】
前記差動信号線路は、基板上に設けられた一対の差動パターンであり、
前記一対の差動パターンにおいて、前記パルストランスとの接続のための接続端部に向かって広がっているパターン間の領域に、前記誘電体が設けられていることを特徴とする請求項６に記載の内視鏡システム。
【請求項８】
前記差動信号線路は、基板上に設けられた差動パターンであることを特徴とする請求項１に記載の内視鏡システム。
【請求項９】
前記差動信号線路は、ツイストペア線であることを特徴とする請求項１に記載の内視鏡システム。
【請求項１０】
前記インピーダンス部材は、前記コイルであり、
前記コイルと前記差動伝送線路の一方の線路との接続点と、前記接続点と前記パルストランスのコイルの一旦との間に、コンデンサが接続されていることを特徴とする請求項１に記載の内視鏡システム。
【発明の詳細な説明】
【技術分野】
【０００１】
本発明は、内視鏡システムに関し、特に、差動信号線路を流れる差動信号が入力されるパルストランスを用いた内視鏡システムに関する。
【背景技術】
【０００２】
従来より、内視鏡は、医療分野及び工業分野で広く用いられている。特に、医療分野で用いられる内視鏡システムでは、患者の安全性を確保するために、CCDの駆動回路及び映像信号処理回路の一部は、二次回路とは絶縁分離された患者回路に搭載されている。【０００３】
例えば、国際公開WO２００７／００４４２８号及び日本国特開２００７−１６７５９０号公報に開示されているように、患者回路と二次回路間の信号の伝送に差動信号を使用する内視鏡システムが提案されている。それらの提案では、差動信号は、LVDS（Low Voltage Differential Signaling）の規格に沿った信号であり、LVDS伝送路には、絶縁のためにパルストランスが用いられている。【０００４】
外来ノイズが差動信号を伝送する差動伝送線路に混入した場合、外来ノイズがコモン・モード・ノイズであれば、終端回路部における引き算によって外来ノイズはキャンセルされる。そのため、差動信号は、外来ノイズに強いという特性を有する。通常、パルストランスの入力側の基板上のパターンは、特性インピーダンスが例えば、１００[Ω]になるように形成され、コモン・モード・ノイズはキャンセルされる。【０００５】
しかし、パルストランス内の一次側コイルの端子間のインダクタンス成分によるインピーダンスは、ノイズの周波数によっては高くなる場合がある。そのため、静電気、電気メス等の外来ノイズが一次側コイルに流れた場合、一次側コイルの両端間に大きな電位差が発生し、差動信号中の実信号が劣化するという問題がある。【０００６】
本発明は、以上の問題に鑑みてなされたものであり、イミュニティ耐性を向上させた内視鏡システムを提供することを目的とする。
【発明の開示】
【課題を解決するための手段】
【０００７】
本発明の一態様によれば、差動信号を出力するドライバと、前記ドライバから出力された前記差動信号を伝送する差動伝送線路と、前記差動伝送線路端に接続され、前記差動伝送線路により伝送された前記差動信号が入力されるパルストランスと、前記差動信号が入力される前記パルストランスの入力側に少なくとも前記パルストランスと並列に接続されたバイパスインピーダンス素子を備えたインピーダンス部材と、を備える内視鏡システムであって、前記バイパスインピーダンス素子のインピーダンスは、前記差動伝送線路に混入するノイズの所定のノイズ周波数において、前記バイパスインピーダンス素子と並列に接続されている前記パルストランスが接続されている回路インピーダンスより小さい内視鏡システムを提供することができる。
【図面の簡単な説明】
【０００８】
【図１】本発明の実施の形態に係わる内視鏡システムの構成を示す構成図である。
【図２】本発明の実施の形態に係わるLVDS伝送部２８の構成を示す構成図である。
【図３】本発明の実施の形態に係わる、LVDSドライバ４１からのLVDS信号を伝送する差動伝送線路とパルストランス４２との接続部分の斜視図である。
【図４】本発明の実施の形態に係わる、LVDSドライバ４１からのLVDS信号を伝送する差動伝送線路とパルストランス４２との接続部分を説明するための図である。
【図５】本発明の実施の形態に係わる差動信号の電荷の流れを説明するための図である。
【図６】本発明の実施の形態に係わる、差動パターン５１，５２の接続端部５１ａ、５２ａ間に、誘電体部材が設けられる状態を示す図である。
【図７】本発明の実施の形態に係わる抵抗５４の作用を説明するための回路図である。
【図８】インピーダンス部材として、コンデンサとコイルからなる回路を用いた場合の回路の例を示す図である。
【発明を実施するための最良の形態】
【０００９】
以下、図面を参照して本発明の実施の形態を説明する。  
（内視鏡システムの構成）
まず図１に基づき、本実施の形態に係わる内視鏡システムの構成を説明する。図１は、本実施の形態に係わる内視鏡システムの構成を示す構成図である。【００１０】
図１に示すように、内視鏡システム１は、内視鏡２と、内視鏡２が接続されて撮像素子からの映像信号の信号処理等を行うプロセッサ３とを含んで構成されている。本実施の形態では、内視鏡システム１における内視鏡２は、先端に撮像素子が設けられた挿入部を有する内視鏡であるが、硬性鏡の基端部に装着されるカメラヘッドでもよい。  
内視鏡２は、撮像素子としてのCCD１１と、内視鏡２の識別用抵抗１２を含む。内視鏡２とプロセッサ３は、図示しない信号ケーブルにより接続されている。【００１１】
プロセッサ３は、内視鏡２が接続される患者側回路３ａと、患者側回路３ａと電気的に絶縁された２次側回路３ｂとを含む。  
患者側回路３ａは、内視鏡２のCCD１１を駆動するCCDドライバ２１と、内視鏡２からの撮像信号を増幅するプリアンプ２２と、プリアンプ２２からの撮像信号を相関二重サンプリングしデジタル化するCDS＆A/D部２３とを備えている。CDS＆A/D部２３は、プリアンプ２２を介して入力される内視鏡２からの撮像信号を所定の周波数のパラレル信号に変換する。【００１２】
CDS＆A/D部２３からのパラレル信号は、LVDS変換部２４に入力される。LVDS変換部２４は、入力されたパラレル信号をLVDS伝送のためのシリアル信号に変換する。  
CCDドライバ２１及びCDS＆A/D部２３は、ドライブ制御部２５により制御される。ドライブ制御部２５は、フォトカプラ２６を介して２次側回路３ｂに設けられているクロック回路（CLK）２７からの基準クロックに基づきCCD制御信号を生成し、CCDドライバ２１及びCDS＆A/D部２３を制御する。ここでは、LVDS変換部２４及びドライブ制御部２５はFPGA（フィールドプログラマブルゲートアレイ）により構成されている。【００１３】
LVDS変換部２４により変換されたLVDS伝送のためのシリアル信号は、LVDS伝送部２８を介して２次側回路３ｂのLVDS変調部２９に伝送される。  
LVDS変調部２９では、LVDS伝送部２８を介して入力されたシリアル信号をLVDS変換部２４とは逆の変換を行い、所定のパラレル信号に変換する。変換されたパラレル信号は、色処理部３０で色分解処理、同時化処理等が行われ、画像データとして、画像メモリ３１に格納される。  
そして、画像メモリ３１に格納された画像データは、HD信号処理部３２あるいはSD信号処理部３３で画像信号処理されて、図示しないモニタに出力される。【００１４】
これら色処理部３０、HD信号処理部３２あるいはSD信号処理部３３は、制御部３４により制御される。制御部３４は、内視鏡２の識別用抵抗１２をフォトカプラ３５を介して検知することで、内視鏡２の種類に応じた映像処理の制御を行う。ここで、HD信号処理部３２は高解像度の映像信号処理を行い、SD信号処理部３３は標準解像度の映像信号処理を行う処理部である。ここでは、LVDS変調部２９、色処理部３０、HD信号処理部３２及びSD信号処理部３３はFPGA（フィールドプログラマブルゲートアレイ）により構成されている。【００１５】
制御部３４は、図示しないキーボード、プリンタ、PCMCIA、LAN、フットスイッチ等の周辺機器とのインターフェイスを有すると共に、フロントパネル３６とのインターフェイスを有している。さらに、制御部３４は、内部にキャラクタジェネレータ３４ａを備えており、必要に応じたメッセージを生成して、モニタに表示させることができる。【００１６】
図２は、LVDS伝送部２８の構成を示す構成図である。LVDS伝送部２８は、LVDSドライバ４１、パルストランス４２、及びLVDSレシーバ４３を含んで構成されている。  
パルストランス４２は、一次側のコイル４２ａと二次側のコイル４２ｂを有する。LVDS変換部２４からのシリアル信号が、LVDSドライバ４１に入力される。LVDSドライバ４１は、差動信号を出力するドライバであり、パルストランス４２の入力側（すなわち一次側）のコイル４２ａに、LVDS信号を供給する。【００１７】
パルストランス４２の出力側（すなわち二次側）のコイル４２ｂは、LVDSレシーバ４３に接続されている。LVDSレシーバ４３は、受信したLVDS信号をLVDS変調部２９に出力する。【００１８】
（差動伝送線路とパルストランスとの接続構造）
図３は、LVDSドライバ４１からのLVDS信号を伝送する差動伝送線路５０と、パルストランス４２との接続部分の斜視図である。  
図３に示すように、差動伝送線路５０を構成する２本の配線パターン（以下、差動パターンという）５１，５２が、基板５３上に設けられている。差動伝送線路５０は、LVDSドライバ４１から出力された差動信号を伝送するマイクロストリップラインである。さらに、チップ部品であるパルストランス４２も、基板５３上に搭載されている。パルストランス４２は、差動伝送線路５０の端に接続され、差動伝送線路５０により伝送された差動信号が入力される。【００１９】
互いに平行に形成された２本の差動パターン５１，５２の端部（以下、接続端部という）５１ａ、５２ａは、それぞれパルストランス４２の２つの入力端子４４，４５が接続されている。パルストランス４２の２つの入力端子間距離は、差動伝送路５０の線路間インピーダンスに等しくなるように形成されている。【００２０】
また、接続端部５１ａ、５２ａの近傍には、２本の差動パターン５１，５２を接続する抵抗５４が設けられている。チップ部品である抵抗５４は、差動信号が入力されるパルストランス４２の２つの入力端子４４，４５間を電気的に接続し、差動伝送線路５０に混入するノイズ中の所定のノイズ周波数におけるパルストランス４２のインピーダンスよりも、小さいインピーダンスを有するインピーダンス部材である。言い換えると、抵抗５４は、パルストランス４２と並列に接続されたバイパスインピーダンス素子を備えたインピーダンス部材である。そして、抵抗５４のインピーダンスは、差動伝送線路５０に混入する所定のノイズ周波数において、抵抗５４と並列に接続されているパルストランス４２側の回路インピーダンスよりも小さい。  
なお、図３において点線で示すように、抵抗５４は、パルストランス４２内に設けてもよい。【００２１】
（作用）
図４は、LVDSドライバ４１からのLVDS信号を伝送する差動伝送線路とパルストランス４２との接続部分を説明するための図である。図５は、差動信号の電荷の流れを説明するための図である。【００２２】
差動伝送線路５０が設けられる基板５３は、図５に示すように、多層基板であり、最上位層上に、２本の差動パターン５１，５２が形成されている。基板５３内には、グラウンド（GND）層５５が形成されている。  
通常、基板５３上に形成される２本の差動パターン５１，５２は、差動信号の送信位置から受信位置までの差動伝送線路５０のインピーダンスが所望のインピーダンスになるように、パターンの幅、絶縁層の厚さ、絶縁層とグラウンド（GND）間の距離等々の物理的な構造に基づく各種シミュレーションを行いながら設計され、２本の差動パターン５１，５２間のペア間距離d1が決定される。【００２３】
本実施の形態では、図３と図４に示すように、２本の差動パターン５１，５２のペア間距離d1とパルストランス４２の２つの入力端子４４，４５間の距離d2とが等しくなるように、差動伝送線路５０とパルストランス４２が接続される。言い換えると、パルストランス４２の２つの入力端子間の距離d2は、差動伝送路５０の線路間インピーダンスに等しくなるように形成されている。【００２４】
これは、差動伝送線路５０とパルストランス４２の接続部分において、インピーダンス不整合が生じないようにするためである。  
この点につき、具体的に説明する。パルストランス４２の２つの入力端子４４，４５間の距離と、２本の差動パターン５１，５２のペア間距離が異なるように、差動伝送線路５０とパルストランス４２を接続する場合を想定する。例えば、図４において点線で示すように、２本の差動パターン５１，５２は、接続端部５１ａ、５２ａに向かってペア間距離が大きくなる場合を想定する。【００２５】
Pチャンネルの正の電荷が差動パターン５２に流れるとき、差動パターン５１にはNチャンネルに負の電荷が励起されて流れる。設計で決められたペア間距離d1が保たれている２本の差動パターン５１，５２間では、２本の差動パターン５１，５２に生じる磁界は、相反する方向であるため、ノイズの放射はない。  
しかし、図４及び図５において点線で示すように、差動パターン５１，５２の接続端部５１ａ、５２ａ間の距離d2がペア間距離d1よりも大きくなっていると、差動パターン５１，５２は接続端部５１ａ、５２ａに向かって広がるように形成され、この差動パターン間の距離が広がる部分でインピーダンスの不整合が生じる。【００２６】
パターン間の距離が広がるにつれて、差動パターン５２に流れる正の電荷に対応する負の電荷が、差動パターン５１に流れずに、差動パターン５２からの距離が差動パターン５１よりも近いグラウンド（GND）層５５に発生して流れてしまう場合がある。その場合、グラウンド（GND）層において負の電荷の漏れが生じて、グラウンド（GND）層５５からの放射が発生してしまう。また、インピーダンスの不整合が生じているので、外部からのノイズの影響も受けやすくなってしまう。【００２７】
そこで、図３から図５において実線で示すように、差動パターン５１，５２のペア間距離d1が接続端子部５１ａ、５２ａまで保たれるようにし、そのために、パルストランス４２の入力端子４４，４５間の距離d2を、そのペア間距離d1と等しくしている。【００２８】
なお、差動パターン５１，５２のペア間距離を一定にする代わりに、差動パターン５１，５２において接続端部５１ａ、５２ａに向かって広がっている領域に、誘電体を設けて、パルストランス４２の２つの入力端子間距離が、差動伝送路５０の線路間インピーダンスに等しくなるようにしてもよい。【００２９】
図６は、差動パターン５１，５２の接続端部５１ａ、５２ａ間に、誘電体部材が設けられる状態を示す図である。図６に示すように、誘電体部材５７が、一対の差動パターン５１，５２において接続端部５１ａ、５２ａに向かって広がっているパターン間の領域５６に設けられている。  
領域５６に設けられる誘電体部材５７の誘電率ε2は、あたかも上記の広がる部分におけるパターン間の距離が差動パターン５０のペア間距離d1と同じになるような値であり、差動パターン５１，５２が平行な領域におけるパターン間の誘電率ε1よりも大きい。誘電体の材料としては、例えば、通常領域のエポキシ系材料よりも誘電率が高いセラミック系材料等がある。【００３０】
次に、抵抗５４の作用について説明する。  
図７は、抵抗５４の作用を説明するための回路図である。図７に示すように、LVDSドライバ４１に対応するLVDS信号源SSが、差動パターン５１，５２間に接続されている。また、パルストランス４２内の一次巻線に対応するコイル４２ａが、差動パターン５１，５２の接続端部５１ａ，５２ａ間に接続されている。さらに、コイル４２ａに並列接続された抵抗５４が、差動パターン５１，５２間に接続されている。コイル４２ａを含むパルストランス４２のインピーダンスZは、信号の周波数によって異なる。【００３１】
図７では、静電気、電気メス等によるノイズが、差動パターン５１，５２のそれぞれと患者側回路３ａの基板グラウンド（GND(P)）との間に接続されているノイズ源NSとして示している。さらに、差動パターン５１，５２と、グラウンド層（GND(S））５５と間のインピーダンスZ0は、インピーダンス素子６１として示されている。【００３２】
ノイズが差動伝送線路５０に混入すると、パルストランス４２のインピーダンスは、そのノイズの周波数に応じたインピーダンスとなる。例えば、ノイズ信号の周波数が３００[MHz]で、コイル４２ａが５０[μH]であるとき、コイル４２ａを含むパルストランス４２のインピーダンスZは、９５KΩ（＝５０×（２×π×３００））となる。【００３３】
一方、抵抗５４のインピーダンスZ1は、差動パターン５１，５２に混入するノイズの所定の周波数におけるパルストランス４２のインピーダンスZよりも小さくなるように、選択される。【００３４】
例えば、インピーダンス素子６１（すなわち差動パターン５１，５２とグラウンド（GND(S)）層５５との間）のインピーダンスZ0は、高いインピーダンス、例えば３０[ｋΩ]である。抵抗５４のインピーダンスZ1は、低いインピーダンス、例えば１００[Ω]である。【００３５】
また、抵抗５４のインピーダンスZ1は、伝送されるLVDSの差動信号の周波数におけるパルストランス４２のインピーダンスZより大きくなるように選択されている。これにより、差動信号の電流は、パルストランス４２のコイル４２ａに流れる。【００３６】
しかし、ノイズ信号が差動パターン５１，５２に混入したとき、電気メス等のノイズのノイズ周波数における抵抗５４のインピーダンスZ1は、コイル４２ａのインピーダンスZ2よりも小さい。上記の例では、抵抗５４のインピーダンスZ1は１００Ωであり、パルストランス４２のインピーダンスZは、１５KΩである。そのため、ノイズ電流Inを含む電流Iは、コイル４２ａに流れずに、インピーダンスの低い抵抗５４に流れる。【００３７】
図７において、実線は、ノイズ電流Inを含む電流Iが実線の矢印Aで示す方向に抵抗５４に流れた場合を示し、点線は、ノイズ電流Inを含む電流Iが点線の矢印Bで示す方向にコイル４２ａに流れた場合を示している。【００３８】
所定の周波数のノイズが混入したとき、電流Iがコイル４２ａに流れた場合におけるコイル４２ａの両端間の電位差（Ｉ×１５ＫΩ）に比べ、電流Ｉが抵抗５４に流れた場合におけるコイル４２ａの両端間の電位差（Ｉ×１００Ω）は、低くなるので、実信号である差動信号の劣化は、大きく抑制される。【００３９】
すなわち、電流Iのほとんどが、コイル４２ａに並列に接続されている抵抗５４に流れるようになるので、ノイズ電流Inによる差動パターン５１，５２上の実信号の劣化を大きく抑制することができる。【００４０】
よって、静電気、電気メス等によるノイズの周波数に基づいて、パルストランス４２と抵抗５４のぞれぞれのインピーダンスを、上記のような関係に設定することによって、ノイズの混入時の実信号の劣化を抑制することができる。結果として、上述した実施の形態によれば、イミュニティ耐性を向上させた内視鏡システムを実現することができる。【００４１】
なお、以上の実施の形態では、インピーダンス部材として、差動パターンに混入するノイズの所定のノイズ周波数におけるパルストランスのインピーダンスよりも小さいインピーダンスを有する受動部品である抵抗を例に挙げたが、抵抗の代わりの受動部品として、そのようなインピーダンスを有するものであれば、コンデンサあるいはコイルでもよい。さらに、その受動部品は、抵抗、コンデンサ及びコイルの中から選択された２つ以上の組み合わせからなる受動部品でもよい。すなわち、インピーダンス部材は、抵抗、コンデンサ及びコイルの少なくとも１つを含む受動部品でもよい。【００４２】
図８は、インピーダンス部材として、コンデンサとコイルからなる回路を用いた場合の回路の例を示す図である。  
図８に示すように、差動パターン５１，５２間には、バイパスインピーダンス素子としてのコイル７１が接続され、かつコイル７１と差動パターン５１との接続点P1とコイル４２ａ一端との間には、コンデンサ７２が接続されている。【００４３】
例えば、ノイズ周波数が１０MHzで、差動信号の周波数が３００MHzであって、バイパスインピーダンス素子としてのコイル７１のインダクタが２００μHで、コンデンサ７２のキャパシタンスが０．１ｐＦであり、差動パターンとグラウンド（GND(S)）層との間のインピーダンスが１MΩとする。【００４４】
この場合、ノイズ周波数（１０MHz）において、コイル７１のインピーダンスは、１２ｋΩであるのに対して、パルストランス側のインピーダンスとコンデンサのインピーダンスの和は、１６２KΩとなる。【００４５】
一方、信号周波数（３００MHz）においては、パルストランス側のインピーダンスとコンデンサのインピーダンスの和は、９９KΩであるのに対して、コイル７１のインピーダンスは、３７６KΩとなる。さらに、上述したように、差動パターンとグラウンド（GND(S)）層との間のインピーダンスは１MΩである。と
従って、信号周波数（３００MHz）においては、パルストランス側のインピーダンスとコンデンサ７２のインピーダンスの和は、コイル７１のインピーダンスよりも小さいので、信号電流は、パルストランス４２へ流れる。一方、ノイズ周波数（１０MHz）においては、コイル７１のインピーダンスは、パルストランス側のインピーダンスとコンデンサ７２のインピーダンスの和よりも小さいので、ノイズ電流は、パルストランス４２へは流れず、コイル７１に流れる。【００４６】
以上のように、図８の場合、ノイズ周波数においては、バイパスインピーダンス素子であるコイル７１のインピーダンスは、コイル７１と並列に接続されている回路（コンデンサ７２とコイル４２ａを含む回路）のインピーダンスよりも小さい。その結果、ノイズ電流は、バイパスインピーダンス素子であるコイル７１に流れるが、差動信号電流は、パルストランス側回路へ流れる。【００４７】
さらになお、以上の実施の形態では、差動信号がLVDS信号である例を挙げたが、上述した実施の形態の構成は、RS-422、DVI、eDP、V-by-One HS等の差動信号にも適用可能である。【００４８】
また、以上の実施の形態では、基板上に設けられたパターンに流れる差動信号の例を説明したが、上述した実施の形態の技術は、ツイストペア線に流れる差動信号についても適用できる。【００４９】
以上のように、上述した実施の形態に係る内視鏡システムによれば、差動信号がパルストランスを介して伝送される場合において、差動伝送線路間にノイズ周波数におけるパルストランスのインピーダンスよりも小さいインピーダンスを有するインピーダンス部材により、差動信号の実信号の劣化を抑制することができる。【００５０】
よって、上述した実施の形態によれば、イミュニティ耐性を向上させた内視鏡システムを実現することができる。【００５１】
本発明は、上述した実施の形態に限定されるものではなく、本発明の要旨を変えない範囲において、種々の変更、改変等が可能である。【００５２】
本出願は、２０１０年７月３０日に日本国に出願された特願２０１０−１７２８６０号を優先権主張の基礎として出願するものであり、上記の開示内容は、本願明細書、請求の範囲に引用されるものとする。
【図１】
2012014547.tif 000003
【図２】
2012014547.tif 000004
【図３】
2012014547.tif 000005
【図４】
2012014547.tif 000006
【図５】
2012014547.tif 000007
【図６】
2012014547.tif 000008
【図７】
2012014547.tif 000009
【図８】
2012014547.tif 000010
【手続補正書】
【提出日】平成24年4月4日(2012.4.4)
【手続補正１】
【補正対象書類名】明細書
【補正対象項目名】０００７
【補正方法】変更
【補正の内容】
【０００７】
本発明の一態様によれば、差動信号を出力するドライバと、前記ドライバから出力された前記差動信号を伝送する差動伝送線路と、前記差動伝送線路により伝送された前記差動信号を入力するために、前記差動伝送線路端に接続される２つの入力端子を有するパルストランスと、前記差動信号が入力される前記パルストランスの入力側に少なくとも前記パルストランスと並列に接続され、前記差動伝送線路に混入するノイズの所定のノイズ周波数において、前記バイパスインピーダンス素子と並列に接続されている前記パルストランスが接続されている回路インピーダンスより小さいバイパスインピーダンス素子を備えたインピーダンス部材と、前記パルストランスの前記２つの入力端子間距離が、前記差動伝送線路の線路間インピーダンスに等しくなるように、前記パルストランスの前記２つの入力端子間及び前記差動伝送路間に配設された誘電体と、を備える内視鏡システムを提供することができる。
【手続補正２】
【補正対象書類名】特許請求の範囲
【補正対象項目名】全文
【補正方法】変更
【補正の内容】
【特許請求の範囲】
【請求項１】
差動信号を出力するドライバと、
前記ドライバから出力された前記差動信号を伝送する差動伝送線路と、
前記差動伝送線路により伝送された前記差動信号を入力するために、前記差動伝送線路端に接続される２つの入力端子を有するパルストランスと、
前記差動信号が入力される前記パルストランスの入力側に少なくとも前記パルストランスと並列に接続され、前記差動伝送線路に混入するノイズの所定のノイズ周波数において、前記バイパスインピーダンス素子と並列に接続されている前記パルストランスが接続されている回路インピーダンスより小さいバイパスインピーダンス素子を備えたインピーダンス部材と、
前記パルストランスの前記２つの入力端子間距離が、前記差動伝送線路の線路間インピーダンスに等しくなるように、前記パルストランスの前記２つの入力端子間及び前記差動伝送路間に配設された誘電体と、
を備えることを特徴とする内視鏡システム。
【請求項２】
前記インピーダンス部材は、抵抗、コンデンサ及びコイルの少なくとも１つを含む受動部品であることを特徴とする請求項１に記載の内視鏡システム。
【請求項３】
前記バイパスインピーダンス素子のインピーダンスは、伝送される前記差動信号の周波数において、前記バイパスインピーダンス素子と並列に接続されている前記パルストランスが接続されている回路インピーダンスより大きいことを特徴とする請求項１に記載の内視鏡システム。
【請求項４】
前記差動信号線路は、基板上に設けられた差動パターンであることを特徴とする請求項１に記載の内視鏡システム。
【請求項５】
前記差動パターンにおいて、前記パルストランスとの接続のための接続端部に向かって広がっているパターン間の領域に、前記誘電体が設けられていることを特徴とする請求項４に記載の内視鏡システム。
【請求項６】
前記差動信号線路は、ツイストペア線であることを特徴とする請求項１に記載の内視鏡システム。
【請求項７】
前記インピーダンス部材は、コイルであり、
前記コイルと前記差動伝送線路の一方の線路との接続点と、前記接続点と前記パルストランスの一端との間に、コンデンサが接続されていることを特徴とする請求項１に記載の内視鏡システム。
【国際調査報告】
2012014547.tif 000011
2012014547.tif 000012
2012014547.tif 000013
2012014547.tif 000014
2012014547.tif 000015